(57)【特許請求の範囲】
【請求項１】
被写体を撮像するための撮像素子と、
前記撮像素子が取り付けられ、移動可能に設けられている可動部材と、
少なくとも上面側に設けられた視認可能な位置決め部材と、前記位置決め部材を基準にして折り曲げられることにより形成された伸縮領域と、スリットと、前記伸縮領域から一方端までの第１領域と、前記伸縮領域から他方端までの第２領域とを含み、前記一方端が前記撮像素子に接続された細長形状のフレキシブルプリント配線板と、
前記フレキシブルプリント配線板の前記他方端が接続されるとともに固定的に設置された回路基板とを備え、
前記伸縮領域は、前記第１領域および前記第２領域により長手方向に挟み込まれているとともに、前記長手方向に伸縮可能な領域であり、
前記スリットは、少なくとも前記第１領域および前記第２領域のいずれか一方と、前記伸縮領域とに亘って、前記位置決め部材を分断するように延びるように形成されている、撮像装置。
【請求項２】
前記スリットは、少なくとも前記第１領域および前記第２領域のうちの長手方向の長さが大きい領域に形成されている、請求項１に記載の撮像装置。
【請求項３】
前記第１領域は、前記第２領域よりも前記長手方向の長さが大きく、
前記スリットは、前記第１領域に形成されている、請求項２に記載の撮像装置。
【請求項４】
前記位置決め部材は、平面的に見て、前記伸縮領域の伸縮方向と垂直な方向に延びるように設けられている、請求項１〜３のいずれか１項に記載の撮像装置。
【請求項５】
前記位置決め部材は、前記フレキシブルプリント配線板の一方の側面近傍から他方の側面近傍に渡って延びるように設けられている、請求項１〜４のいずれか１項に記載の撮像装置。
【請求項６】
前記位置決め部材は、前記フレキシブルプリント配線板の配線と同一層からなる、請求項１〜５のいずれか１項に記載の撮像装置。
【請求項７】
前記位置決め部材は、銅箔からなる、請求項６に記載の撮像装置。
【請求項８】
前記位置決め部材は、前記フレキシブルプリント配線板の片面に設けられている、請求項１〜７のいずれか１項に記載の撮像装置。
【請求項９】
前記スリットは、前記伸縮領域の伸縮方向に沿って延びるように設けられている、請求項１〜８のいずれか１項に記載の撮像装置。
【請求項１０】
前記スリットは、前記フレキシブルプリント配線板の短手方向の略中間に、前記伸縮領域の伸縮方向に沿って延びるように設けられている、請求項９に記載の撮像装置。
【請求項１１】
前記伸縮領域は、前記フレキシブルプリント配線板の側面側から見て略Ｖ字状に構成されているとともに、前記位置決め部材は、前記略Ｖ字状の伸縮領域の両端部に設けられている、請求項１〜１０のいずれか１項に記載の撮像装置。
【発明の詳細な説明】
【技術分野】
【０００１】
この発明は、撮像装置に関し、特に、フレキシブルプリント配線板を備えた撮像装置に関する。
【背景技術】
【０００２】
従来、フレキシブルプリント配線板を備えた撮像装置などが知られている（たとえば、特許文献１〜３参照）。
【０００３】
上記特許文献１には、ベースフィルムの上面側に所定の配線を形成するとともに、ベースフィルムの下面側に銅箔を全面に設けた後に、曲げる部分（折り曲げ部）のみの銅箔を除去したフレキシブルプリント配線板が開示されている。このフレキシブルプリント配線板は、フレキシブルプリント配線板の両端から曲げ応力を加えると、銅箔のない折り曲げ部で容易に曲げることができる。
【０００４】
また、上記特許文献２には、少なくとも一方の面に銅製の配線パターンを有する変形可能な絶縁基材と、配線パターンのうち繰り返し屈曲使用される部位の全領域に設けられ、銅よりも軟質の金属からなる補強導体層とを含むフレキシブルプリント配線板が開示されている。このフレキシブルプリント配線板では、屈曲によるストレスが補強導体層に分散されるとともに、配線パターンが断線しても、補強導体層により導電経路は補償される。
【０００５】
また、上記特許文献３には、撮像素子と、移動可能な移動体（可動部材）と、固定体（回路基板）に固定され、折り曲げ部に挟まれた弛み（伸縮領域）を有する移動可能なフレキシブルプリント配線板とを備え、フレキシブルプリント配線板にはフレキシブルプリント配線板の移動方向と平行にスリットが設けられている撮像装置が開示されている。この撮像装置では、弛みが小さい場合であっても、スリットによってフレキシブルプリント配線板の変形により生じる負荷抵抗を軽減することができるので、手ぶれ補正機構および手ぶれ補正機構を有する撮像装置を小型化および省電力化することができる。
【０００６】
【特許文献１】特開平８−１１６１４０号公報
【特許文献２】特開２００５−３０２８７９号公報
【特許文献３】特開２００７−４３１２９号公報
【発明の開示】
【発明が解決しようとする課題】
【０００７】
しかしながら、上記特許文献１に記載されたフレキシブルプリント配線板では、上面側からは配線のみしか視認することができず、折り曲げ部は上面側から視認することができないため、折り曲げを望まない位置や角度で折り曲げてしまう場合があるという不都合があると考えられる。このため、フレキシブルプリント配線板を折り曲げることによって伸縮領域を設ける場合には、フレキシブルプリント配線板の伸縮領域が適切に設けられないことにより、フレキシブルプリント配線板の稼働領域が適切に確保されない。この結果、フレキシブルプリント配線板を備えた撮像装置において手ぶれ補正が適切に行われないという問題点があると考えられる。
【０００８】
また、上記特許文献２に記載のフレキシブルプリント配線板では、フレキシブルプリント配線板を折り曲げることによって伸縮領域を設ける場合には、フレキシブルプリント配線板の伸縮領域および折り曲げ部の全領域に補強導体層が設けられることになる。これによって、伸縮領域と折り曲げ部との区別を目視により行うのは困難なため、折り曲げを望まない位置や角度で折り曲げてしまう場合があるという不都合があると考えられる。このため、フレキシブルプリント配線板の伸縮領域が適切に設けられないことによって、フレキシブルプリント配線板の稼働領域が適切に確保されない。この結果、フレキシブルプリント配線板を備えた撮像装置において手ぶれ補正が適切に行われないという問題点があると考えられる。
【０００９】
また、上記特許文献３に記載の撮像装置では、フレキシブルプリント配線板の折り曲げ位置に何も設けられておらず視認することができないため、折り曲げを望まない位置や角度で折り曲げてしまう場合があるという不都合があると考えられる。このため、フレキシブルプリント配線板の伸縮領域が適切に設けられないことによって、フレキシブルプリント配線板の稼働領域が適切に確保されない。この結果、フレキシブルプリント配線板を備えた撮像装置において手ぶれ補正が適切に行われないという問題点があると考えられる。
【００１０】
この発明は、上記のような課題を解決するためになされたものであり、この発明の１つの目的は、容易に折り曲げの位置決めを行うことができるフレキシブルプリント配線板を備えることによって、フレキシブルプリント配線板の稼働領域を適切に確保して、手ぶれ補正を適切に行うことが可能な撮像装置を提供することである。
【課題を解決するための手段および発明の効果】
【００１１】
この発明の一の局面による撮像装置は、被写体を撮像するための撮像素子と、撮像素子が取り付けられ、移動可能に設けられている可動部材と、少なくとも上面側に設けられた視認可能な位置決め部材と、位置決め部材を基準にして折り曲げられることにより形成された伸縮領域と、スリットと、伸縮領域から一方端までの第１領域と、伸縮領域から他方端までの第２領域とを含み、一方端が撮像素子に接続された細長形状のフレキシブルプリント配線板と、フレキシブルプリント配線板の他方端が接続されるとともに固定的に設置された回路基板とを備え、伸縮領域は、第１領域および第２領域により長手方向に挟み込まれているとともに、長手方向に伸縮可能な領域であり、スリットは、少なくとも第１領域および第２領域のいずれか一方と、伸縮領域とに亘って、位置決め部材を分断するように延びるように形成されている。
【００１２】
この一の局面による撮像装置では、上記のように、少なくとも上面側に設けられた視認可能な位置決め部材と位置決め部材を基準にして折り曲げられることにより形成された伸縮領域とを含むフレキシブルプリント配線板を備えるように構成することによって、視認可能な位置決め部材を基準に折り曲げることができるので、容易に折り曲げ部の位置決めを行うことができる。これにより、フレキシブルプリント配線板の稼働領域を適切に確保することができるので、手ぶれ補正を適切に行うことができる。
【００１３】
上記一の局面による撮像装置において、好ましくは、スリットは、少なくとも第１領域および第２領域のうちの長手方向の長さが大きい領域に形成されている。この場合、好ましくは、第１領域は、第２領域よりも長手方向の長さが大きく、スリットは、第１領域に形成されている。
【００１４】
上記一の局面による撮像装置において、好ましくは、位置決め部材は、平面的に見て、伸縮領域の伸縮方向と垂直な方向に延びるように設けられている。このように構成すれば、フレキシブルプリント配線板を位置決め部材を基準にして折り曲げることにより、折り曲げ部を伸縮方向と垂直な方向に延びるように設けることができる。これによって、フレキシブルプリント配線板の伸縮領域を、フレキシブルプリント配線板の移動方向にのみ伸縮させることができる。これにより、フレキシブルプリント配線板が設けられている可動部材の移動方向にのみフレキシブルプリント配線板の伸縮領域を伸縮させることによって、フレキシブルプリント配線板の稼働領域を伸縮方向に限定することができるので、手ぶれ補正をより適切に行うことができる。
【００１５】
上記一の局面による撮像装置において、好ましくは、位置決め部材は、フレキシブルプリント配線板の一方の側面近傍から他方の側面近傍に渡って延びるように設けられている。このように構成すれば、位置決め部材を折り曲げ部に対してほぼ全体にわたって隣接するように設けることができるので、より容易に、位置決め部材を基準に折り曲げることができる。この結果、より容易に、フレキシブルプリント配線板の折り曲げ部の位置決めを行うことができる。
【００１６】
上記一の局面による撮像装置において、好ましくは、位置決め部材は、フレキシブルプリント配線板の配線と同一層からなる。このように構成すれば、フレキシブルプリント配線板を作成する際に、フレキシブルプリント配線板の配線を設けるとともに、位置決め部も同時に設けることができる。
【００１７】
この場合、好ましくは、位置決め部材は、銅箔からなる。このように構成すれば、一般的に、フレキシブルプリント配線板の配線および信号線は銅箔からなるので、前もって設けられている銅箔からなる導電層をエッチングして配線を形成する場合に、位置決め部材を形成する箇所の導電層を残すことによって、容易に、位置決め部材を形成することができる。
【００１８】
上記一の局面による撮像装置において、好ましくは、位置決め部材は、フレキシブルプリント配線板の片面に設けられている。このように構成すれば、位置決め部材が設けられている片面とは反対側の面の位置決め部材と対応する位置に、フレキシブルプリント配線板の信号線を設けることができるので、フレキシブルプリント配線板の配線機能を損なうことなく、折り曲げ部の位置決めを行うことができる。
【００１９】
上記一の局面による撮像装置において、好ましくは、スリットは、伸縮領域の伸縮方向に沿って延びるように設けられている。このように構成すれば、フレキシブルプリント配線板の伸縮領域が伸縮する際の負荷抵抗を小さくすることができるので、手ぶれ補正の反応速度が小さくなるのを抑制することができる。この場合、好ましくは、スリットは、フレキシブルプリント配線板の短手方向の略中間に、伸縮領域の伸縮方向に沿って延びるように設けられている。
【００２０】
上記一の局面による撮像装置において、好ましくは、伸縮領域は、フレキシブルプリント配線板の側面側から見て略Ｖ字状に構成されているとともに、位置決め部材は、略Ｖ字状の伸縮領域の両端部に設けられている。このように構成すれば、側面から見て略四角形状である伸縮領域の場合と比べて、側面から見て略三角形状（略Ｖ字状）である伸縮領域の方が、伸縮領域が伸縮する際の負荷抵抗を減らすことができるので、手ぶれ補正の反応速度が小さくなるのを抑制することができる。
【発明を実施するための最良の形態】
【００２１】
以下、本発明を具体化した実施形態を図面に基づいて説明する。
【００２２】
図１は、本発明の一実施形態におけるビデオカメラの全体構成を示した斜視図である。図２は、図１に示した本発明の一実施形態におけるビデオカメラの全体構成を別方向から見た場合の斜視図である。図３〜図１３は、本発明の一実施形態におけるビデオカメラの撮像部の詳細を示す図である。まず、図１〜図１３を参照して、本発明の一実施形態によるビデオカメラ１０の構造を説明する。なお、本実施形態では、撮像装置の一例であるビデオカメラ１０に本発明を適用した場合について説明する。
【００２３】
本発明の一実施形態におけるビデオカメラ１０では、図１および図２に示すように、樹脂製の筐体１１に、複数の光学レンズ１２が内部に収納された鏡筒１３と、ストロボ１４と、内蔵マイク１５と、ビデオテープ（図示せず）が着脱可能に装着されるビデオカセット部１６と、映像を録画する際に使用される録画／再生ボタン１７と、静止画像を録画する際に使用されるフォトボタン１８と、ファインダ１９と、録画時の映像を画面表示可能な液晶モニタ２０と、撮像部２１と、回路基板２２とが設けられている。
【００２４】
また、図１および図２に示すように、複数の光学レンズ１２が収納された鏡筒１３は、筐体１１の正面側から外部に水平に突出されるように構成されている。また、ストロボ１４は、撮影時に補助光として発光する機能を有している。また、内蔵マイク１５は、撮影時（録画時）に被写体周辺の音を収集する機能を有している。また、録画／再生ボタン１７は、ユーザが撮影時に押圧することによって、ビデオカメラ１０の撮像部２１が撮影した映像をビデオテープ（図示せず）に録画する動作を開始するとともに、録画終了時には、ビデオテープ（図示せず）への録画を停止する機能を有している。また、フォトボタン１８は、ユーザが撮影時に押圧することにより、押圧された際に撮像部２１によって撮影されていた映像を静止画像として録画する機能を有する。また、ファインダ１９および筐体１１から開閉可能に開けられる液晶モニタ２０は、ユーザがファインダ１９および液晶モニタ２０のいずれか、またはその両方を通して被写体を見ながら、撮影範囲を決定することが可能なように構成されている。
【００２５】
また、回路基板２２は、図５および図６に示すように、後述するＦＰＣ２７の接続端子部２７ｈが接続されるコネクタ２２ａと、入力された撮像信号の処理などを行う集積回路２２ｂとを有し、ビデオカメラ１０に固定的に設けられている。
【００２６】
また、ビデオカメラ１０の撮像部２１は、図３〜図６に示すように、Ｘ１方向にのみ移動可能な樹脂製のＸ−Ｙステージ２３と、ガラス製のレンズ部材２４と、ゴムなどからなるパッキン部材２５と、被写体を撮像するためのＣＣＤ（Ｃｈａｒｇｅ  Ｃｏｕｐｌｅｄ  Ｄｅｖｉｃｅ）２６と、フレキシブル配線板（ＦＰＣ）２７と、ＦＰＣ２７を保持するための保持部材２８と、板金製の押さえ板２９と、ＦＰＣ２７と保持部材２８とをＸ−Ｙステージ２３に固定するためのネジ部材３０と、保持部材２８をＸ−Ｙステージ２３に固定するためのネジ部材３１とを含む。
【００２７】
さらに、ビデオカメラ１０の撮像部２１には、図３〜図６に示すように、板金製の伝達アーム部材３２と、伝達アーム部材３２とＸ−Ｙステージ２３とを固定するためのネジ部材３３と、Ｘ−Ｙステージ２３をＸ１方向に付勢するためのバネ３４と、Ｙ１方向にのみ移動可能な樹脂製のＹステージ３５と、Ｙステージ３５をＹ１方向に付勢するためのバネ３６と、樹脂製の固定部材３７と、Ｙステージ３５に固定されている一対の軸３８と、固定部材３７に固定されている一対の軸３９と、伝達アーム部材３２に取り付けられるステッピングモータ４０と、固定部材３７に取り付けられ、Ｙ１方向にＹステージ３５を移動させるステッピングモータ４１とが設けられている。なお、Ｘ−Ｙステージ２３およびＣＣＤ２６は、それぞれ本発明の「可動部材」および「撮像素子」の一例である。
【００２８】
また、撮像部２１のＸ−Ｙステージ２３は、図３〜図６に示すように、伝達アーム部材３２を位置決めするための位置決め用ボス部２３ａと、レンズ部材取付面２３ｂと、ＣＣＤ取付面２３ｃと、ネジ部材３０に対応するネジ穴２３ｄと、ネジ部材３１に対応するネジ穴２３ｅと、後述する押さえ板２９の係合穴２９ａに係合する爪部２３ｆとを有する。また、位置決め用ボス部２３ａは、Ｘ−Ｙステージ２３の上面から垂直上方に延びるようにＸ−Ｙステージ２３に一体的に設けられている。また、レンズ部材取付面２３ｂおよびＣＣＤ取付面２３ｃには、それぞれ、レンズ部材２４およびＣＣＤ２６が当接された状態で取り付けられるように構成されている。また、Ｘ−Ｙステージ２３は、図５および図６に示すように、Ｘ−Ｙステージ２３に変位が与えられていない状態では、撮像部２１の中央部にＸ−Ｙステージ２３の中央部が実質的に位置するように構成されているとともに、Ｙ１方向の両端部近傍でそれぞれ軸３８にＸ１方向に移動可能に挿入されている。
【００２９】
また、撮像部２１の保持部材２８は、図４に示すように、ＦＰＣ２７をＣＣＤ２６に押圧した状態で保持するための押さえ部２８ａおよび２８ｂを有する。
【００３０】
また、撮像部２１の押さえ部材２９は、図４に示すように、Ｘ−Ｙステージ２３にＦＰＣ２７を上方から押さえ込むために設けられており、Ｘ−Ｙステージ２３の爪部２３ｆと係合する係合穴２９ａを有する。
【００３１】
また、撮像部２１の伝達アーム部材３２は、図３〜図５に示すように、Ｘ−Ｙステージ２３に取り付けられる取付部３２ａと、ステッピングモータ４０からの駆動力をＸ−Ｙステージ２３に伝達するための駆動力伝達部３２ｂと、Ｘ−Ｙステージ２３の位置決め用ボス部２３ａがはめ込まれる２つの位置決め用穴部３２ｃとを有する。
【００３２】
また、撮像部２１のＹステージ３５は、図５に示すように、Ｘ１方向の両端部近傍でそれぞれ軸３９にＹ１方向に移動可能に挿入されている。
【００３３】
また、撮像部２１のフレキシブル配線板（ＦＰＣ）２７は、図７〜図１０に示すように、ＣＣＤ２６の取付位置に設けられているＣＣＤ取付穴２７ａと、ＣＣＤ２６からの信号を回路基板２２に伝えるための銅箔からなる信号線２７ｂと、ネジ部材３０により保持部材２８とＸ−Ｙステージ２３とに固定されるためのネジ挿入穴２７ｃとを有する。
【００３４】
ここで、本実施形態では、撮像部２１のＦＰＣ２７には、図７〜図１０に示すように、銅箔からなる位置決め部材２７ｄおよび２７ｅと、スリット２７ｆと、ＣＣＤ２６と接続するための銅箔からなるＣＣＤ接続配線２７ｇと、回路基板２２のコネクタ２２ａと接続するための接続端子部２７ｈとがさらに設けられている。具体的には、スリット２７ｆは、図７に示すように、ＦＰＣ２７の長手方向（Ｘ４方向）に沿って、撮像部２１の押さえ板２９（図４参照）が取り付けられる箇所の近傍から、接続端子部２７ｈの近傍に設けられている位置決め部材２７ｅの近傍まで延びるようにＦＰＣ２７の短手方向（Ｙ４方向）の略中間の位置に設けられている。また、位置決め部材２７ｄは、図７に示すように、スリット２７ｆを挟むようにスリット２７ｆの長手方向（Ｘ４方向）の略中間の位置に設けられている。また、位置決め部材２７ｅは、図７に示すように、接続端子部２７ｈの近傍の位置に設けられている。また、位置決め部材２７ｄおよび２７ｅは、図７、図８および図１０に示すように、伸縮方向（Ｘ４方向）と垂直な方向であるＦＰＣ２７の短手方向（Ｙ４方向）に、ＦＰＣ２７の一方の側面近傍から他方の側面近傍に渡って一様に伸びるようにＦＰＣ２７の上面側に設けられている。なお、ＣＣＤ接続配線２７ｇは、本発明の「配線」の一例である。
【００３５】
また、図７〜図１０に示すように、ＣＣＤ取付穴２７ａおよびＣＣＤ接続配線２７ｇは、ＦＰＣ２７の一方端部に設けられており、接続端子部２７ｈは、ＦＰＣ２７の他方端部に設けられている。
【００３６】
ここで、本実施形態では、ＦＰＣ２７の位置決め部材２７ｄおよび２７ｅが設けられている部分では、図１１に示すように、位置決め部材２７ｄおよび２７ｅは、ポリイミドからなる絶縁層２７ｉを挟み込むように信号線２７ｂの反対側に設けられているとともに、絶縁層２７ｉと光透過性を有するポリイミドからなる絶縁材２７ｊとによって絶縁されている。これにより、絶縁材２７ｊの下部に設けられている位置決め部材２７ｄおよび２７ｅは視認可能に設けられることになる。一方、ＣＣＤ接続配線２７ｇは、図１２に示すように、導電性を有するメッキ層２７ｋによって信号線２７ｂと接続されている。また、ＣＣＤ接続配線２７ｇとＣＣＤ２６の端子とを接続するために、ＣＣＤ接続配線２７ｇの上方に設けられていた絶縁材２７ｊは除去されている。これらの結果、ＣＣＤ２６によって得られた撮像信号は、ＦＰＣ２７のＣＣＤ接続配線２７ｇ、信号線２７ｂ、接続端子部２７ｈおよび回路基板２２のコネクタ２２ａを介して、集積回路２２ｂに伝送されるように構成されている。さらに、ＣＣＤ接続配線２７ｇは、図１３に示すように、位置決め部材２７ｄおよび２７ｅと同一層からなるように設けられている。
【００３７】
また、本実施形態では、撮像部２１のＦＰＣ２７には、図８に示すように、位置決め部材２７ｄおよび２７ｅを基準として折り曲げることにより、位置決め部材２７ｄおよび２７ｅに隣接するとともに、Ｙ１方向に延びるように設けられた折り曲げ部２７ｌを両端部に有し、略Ｖ字状に構成された伸縮領域２７ｍが設けられている。これにより、伸縮領域２７ｍを構成する箇所の伸縮方向（Ｘ４方向）の平面的な長さは、図７および図８に示すように、略Ｖ字状に折り曲げられることによって、Ｌ２からＬ１に小さくなる。また、伸縮領域２７ｍは、ＣＣＤ２６が取り付けられているＸ−Ｙステージ２３が移動するにしたがい、略Ｖ字の両端の距離が変化することによって、伸縮するように設けられている。
【００３８】
図５、図６および図１４〜図１７は、本発明の一実施形態におけるＦＰＣを介して回路基板が取り付けられた撮像部の手ぶれ補正動作について説明するための図である。図５、図６および図１４〜図１７を参照して、本発明の一実施形態によるＦＰＣ２７を介して回路基板２２が取り付けられた撮像部２１の手ぶれ補正動作とＦＰＣ２７の伸縮動作について説明する。
【００３９】
まず、図５および図６のＸ−Ｙステージ２３に変位が与えられていない状態から、ビデオカメラ１０が手ぶれによって動くことにより、撮像部２１および回路基板２２がＸ３方向に動くと、その動きを感知してステッピングモータ４０が、伝達アーム部材３２および伝達アーム部材３２に固定されているＸ−Ｙステージ２３を、手ぶれ方向であるＸ３方向と逆方向（手ブレを打ち消す方向）であるＸ２方向に動かす。これにより、Ｘ−Ｙステージ２３上に設けられているＣＣＤ２６が補正位置に移動するので、手ぶれが補正される。ここで、Ｘ−Ｙステージ２３上に設けられているＦＰＣ２７は、固定されている回路部材２２と接続されているため、Ｘ−Ｙステージ２３と回路基板２２との距離が小さくなると、ＦＰＣ２７と回路基板２２との距離も小さくなる。このため、ＦＰＣ２７の伸縮領域２７ｍは、Ｘ−Ｙステージ２３と回路基板２２との距離が小さくなるように収縮する。これによって、図５、図６、図１４および図１５に示すように、伸縮領域２７ｍの伸縮方向（Ｘ１方向）の平面的な長さＬ３は、Ｘ−Ｙステージ２３に変位が与えられていない状態における伸縮方向（Ｘ１方向）の平面的な長さＬ１よりも小さくなる。
【００４０】
また、撮像部２１および回路基板２２がＸ２方向に動くと、その動きを感知してステッピングモータ４０が、伝達アーム部材３２および伝達アーム部材３２に固定されているＸ−Ｙステージ２３を、手ぶれ方向であるＸ２方向と逆方向（手ブレを打ち消す方向）であるＸ３方向に動かす。これにより、Ｘ−Ｙステージ２３上に設けられているＣＣＤ２６が補正位置に移動することによって、手ぶれが補正される。ここで、Ｘ−Ｙステージ２３上に設けられているＦＰＣ２７は、固定されている回路部材２２と接続されているため、Ｘ−Ｙステージ２３と回路基板２２との距離が大きくなると、ＦＰＣ２７と回路基板２２との距離も大きくなる。このため、ＦＰＣ２７の伸縮領域２７ｍは、Ｘ−Ｙステージ２３と回路基板２２との距離が大きくなるように伸長する。これによって、図５、図６、図１６および図１７に示すように、伸縮領域２７ｍの伸縮方向（Ｘ１方向）の平面的な長さＬ４は、Ｘ−Ｙステージ２３に変位が与えられていない状態における伸縮方向（Ｘ１方向）の平面的な長さＬ１よりも大きくなる。
【００４１】
本実施形態では、上記のように、ＦＰＣ２７の上面に設けられた視認可能な位置決め部材２７ｄおよび２７ｅと位置決め部材２７ｄおよび２７ｅを基準にして折り曲げられることにより形成された伸縮領域２７ｍとを含むＦＰＣ２７を備えるように構成することによって、視認可能な位置決め部材２７ｄおよび２７ｅを基準に折り曲げることができるので、容易に折り曲げ部２７ｌの位置決めを行うことができる。これにより、ＦＰＣ２７の稼働領域を適切に確保することができるので、ビデオカメラ１０の手ぶれ補正を適切に行うことができる。
【００４２】
また、本実施形態では、上記のように、位置決め部材２７ｄおよび２７ｅを、伸縮領域２７ｍの伸縮方向であるＸ１方向と垂直な方向（Ｙ１方向）に延びるように構成することによって、ＦＰＣ２７を位置決め部材２７ｄおよび２７ｅを基準にして折り曲げることにより、折り曲げ部２７ｌをＹ１方向に延びるように設けることができる。これによって、ＦＰＣ２７の伸縮領域２７ｍを、ＦＰＣ２７の移動方向であるＸ１方向にのみ伸縮させることができる。この結果、Ｘ−Ｙステージ２３の移動方向にのみＦＰＣ２７の伸縮領域２７ｍを伸縮させることによって、ＦＰＣ２７の稼働領域を伸縮方向であるＸ１方向に限定することができるので、ビデオカメラ１０の手ぶれ補正をより適切に行うことができる。
【００４３】
また、本実施形態では、上記のように、位置決め部材２７ｄおよび２７ｅを、ＦＰＣ２７の一方の側面近傍から他方の側面近傍に渡って延びるように構成することによって、位置決め部材２７ｄおよび２７ｅが折り曲げ部２７ｌに対してほぼ全体にわたって隣接するように設けられるので、より容易に、位置決め部材２７ｄおよび２７ｅを基準に折り曲げることができる。この結果、より容易に、ＦＰＣ２７の折り曲げ部２７ｌの位置決めを行うことができる。
【００４４】
また、本実施形態では、上記のように、位置決め部材２７ｄおよび２７ｅを、ＣＣＤ接続配線２７ｇと同一層からなるように構成することによって、ＦＰＣ２７を作成する際に、ＦＰＣ２７のＣＣＤ接続配線２７ｇを設けるとともに、位置決め部材２７ｄおよび２７ｅも同時に設けることができる。
【００４５】
また、本実施形態では、位置決め部材２７ｄおよび２７ｅは、銅箔からなるように構成することによって、ＦＰＣ２７のＣＣＤ接続配線２７ｇおよび信号線２７ｂは銅箔からなるので、前もって設けられている銅箔からなる導電層をエッチングしてＣＣＤ接続配線２７ｇおよび信号線２７ｂを形成する際に、位置決め部材２７ｄおよび２７ｅを形成する箇所の導電層を残すことによって、容易に、位置決め部材２７ｄおよび２７ｅを形成することができる。
【００４６】
また、本実施形態では、上記のように、位置決め部材２７ｄおよび２７ｅを、ＦＰＣ２７の片面に設けることによって、位置決め部材２７ｄおよび２７ｅが設けられている片面とは反対側の面の位置決め部材２７ｄおよび２７ｅと対応する位置に、ＦＰＣ２７の信号線２７ｂを設けることができるので、ＦＰＣ２７の配線機能を損なうことなく、折り曲げ部２７ｌの位置決めを行うことができる。
【００４７】
また、本実施形態では、上記のように、スリット２７ｆを、ＦＰＣ２７の長手方向（Ｘ４方向）に沿って、撮像部２１の押さえ板２９が取り付けられる箇所の近傍から、接続端子部２７ｈ近傍に設けられている位置決め部材２７ｅの近傍まで延びるように設けることによって、ＦＰＣ２７の伸縮領域２７ｍが伸縮する際の負荷抵抗を小さくすることができるので、ビデオカメラ１０の手ぶれ補正の反応速度が小さくなるのを抑制することができる。また、スリット２７ｆが設けられている部分のＦＰＣ２７は除かれているので、撮像部２１の押さえ板２９が取り付けられる箇所から伸縮領域２７ｍまでのＦＰＣ２７に加えられるＹ１方向の移動による負荷抵抗を小さくすることができる。
【００４８】
また、本実施形態では、上記のように、伸縮領域２７ｍを、ＦＰＣ２７の側面側から見て略Ｖ字状に構成するとともに、位置決め部材２７ｄおよび２７ｅを伸縮領域２７ｍの両端部に設けることによって、側面から見て略四角形状である伸縮領域の場合と比べて、側面から見て略三角形状（略Ｖ字状）である伸縮領域２７ｍの方が、伸縮領域が伸縮する際の負荷抵抗を減らすことができるので、ビデオカメラ１０の手ぶれ補正の反応速度が小さくなるのを抑制することができる。
【００４９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５０】
たとえば、上記実施形態では、本発明の撮像装置の一例として、ビデオカメラ１０を示したが、本発明はこれに限らず、ビデオカメラ以外の撮像装置にも適用可能である。
【００５１】
また、上記実施形態では、ＦＰＣ２７をＸ１方向（図５など参照）に移動するように設けた例を示したが、本発明はこれに限らず、ＦＰＣをＹ１方向（図５など参照）に移動するように設けてもよい。
【００５２】
また、上記実施形態では、ＦＰＣ２７の信号線２７ｂと位置決め部材２７ｄおよび２７ｅとＣＣＤ接続配線２７ｇとが銅箔からなる例を示したが、本発明はこれに限らず、ＦＰＣの信号線２７ｂと位置決め部材２７ｄおよび２７ｅとＣＣＤ接続配線２７ｇとは、たとえば、金などの導電性を有する材料からなるものであってもよい。
【００５３】
また、上記実施形態では、伸縮領域２７ｍをＦＰＣ２７の側面側から見て略Ｖ字状に構成している例を示したが、本発明はこれに限らず、たとえば、略Ｕ字状や略Ｗ字状などの形状に構成してもよい。
【００５４】
また、上記実施形態では、ＦＰＣ２７の位置決め部材２７ｄおよび２７ｅをＦＰＣ２７の一方の側面近傍から他方の側面近傍に渡って一様に伸びるように設けている例を示したが、本発明はこれに限らず、たとえば、位置決め部材を一定間隔ごとに複数設けてもよい。
【図面の簡単な説明】
【００５５】
【図１】本発明の一実施形態によるビデオカメラの全体構成を示す斜視図である。
【図２】本発明の一実施形態によるビデオカメラの全体構成を示す斜視図である。
【図３】本発明の一実施形態によるＦＰＣを介して回路基板が取り付けられた撮像部を示す斜視図である。
【図４】本発明の一実施形態によるＦＰＣを介して回路基板が取り付けられた撮像部を示す分解斜視図である。
【図５】本発明の一実施形態によるＦＰＣを介して回路基板が取り付けられた撮像部を示す平面図である。
【図６】本発明の一実施形態によるＦＰＣを介して回路基板が取り付けられた撮像部を示す、図５の２００−２００線に沿った断面図である。
【図７】本発明の一実施形態によるＣＣＤが接続されている折り曲げ前のＦＰＣを示す平面図である。
【図８】本発明の一実施形態によるＣＣＤが接続されている折り曲げ後のＦＰＣを示す平面図である。
【図９】本発明の一実施形態によるＣＣＤが接続されている折り曲げ後のＦＰＣを示す側面図である。
【図１０】本発明の一実施形態による折り曲げ後のＦＰＣを示す斜視図である。
【図１１】本発明の一実施形態によるＦＰＣの、図７の３００−３００線に沿った断面図である。
【図１２】本発明の一実施形態によるＦＰＣの、図７の４００−４００線に沿った断面図である。
【図１３】本発明の一実施形態によるＦＰＣの、図７の５００−５００線に沿った断面図である。
【図１４】本発明の一実施形態によるＸ−ＹステージがＸ２方向に移動した場合の、ＦＰＣを介して回路基板が取り付けられた撮像部を示す平面図である。
【図１５】本発明の一実施形態によるＸ−ＹステージがＸ２方向に移動した場合の、ＦＰＣを介して回路基板が取り付けられた撮像部を示す、図１４の２００−２００線に沿った断面図である。
【図１６】本発明の一実施形態によるＸ−ＹステージがＸ３方向に移動した場合の、ＦＰＣを介して回路基板が取り付けられた撮像部を示す平面図である。
【図１７】本発明の一実施形態によるＸ−ＹステージがＸ３方向に移動した場合の、ＦＰＣを介して回路基板が取り付けられた撮像部を示す、図１６の２００−２００線に沿った断面図である。
【符号の説明】
【００５６】
１０            ビデオカメラ（撮像装置）
２２            回路基板
２３            Ｘ−Ｙステージ（可動部材）
２６            ＣＣＤ（撮像素子）
２７            フレキシブル配線板（ＦＰＣ）
２７ｄ、２７ｅ  位置決め部材
２７ｆ          スリット
２７ｇ          ＣＣＤ接続配線（配線）
２７ｍ          伸縮領域
【図１】
0005380849.tif 000002
【図２】
0005380849.tif 000003
【図３】
0005380849.tif 000004
【図４】
0005380849.tif 000005
【図５】
0005380849.tif 000006
【図６】
0005380849.tif 000007
【図７】
0005380849.tif 000008
【図８】
0005380849.tif 000009
【図９】
0005380849.tif 000010
【図１０】
0005380849.tif 000011
【図１１】
0005380849.tif 000012
【図１２】
0005380849.tif 000013
【図１３】
0005380849.tif 000014
【図１４】
0005380849.tif 000015
【図１５】
0005380849.tif 000016
【図１６】
0005380849.tif 000017
【図１７】
0005380849.tif 000018